(57)【要約】【課題】木材や紙材などによって形成された箱型の構成体に装飾模様が施された装飾棺に関し、より具体的には、装飾模様が綺麗に表されていて使用者や消費者の要望に真に沿う装飾模様が施された装飾棺の提供を目的とする。【解決手段】上側に開口部を有する箱型の本体と、前記開口部を閉じる蓋体と、前記蓋体の一部に設けられた窓部と、前記窓部に開閉自在に設けられた扉部と、前記本体及び前記蓋体の外表面を覆う装飾模様を有する装飾シートと、を具備する装飾棺であって、前記扉部を閉じた状態において、前記蓋体の外表面及び前記蓋体と前記本体との連続面が略平面状であり、前記装飾模様が、前記装飾棺において隣り合う少なくとも２つの外表面にわたって連続していること、を特徴とする装飾棺。【選択図】図１
2015019802.tif 000002
【特許請求の範囲】
【請求項１】
上側に開口部を有する箱型の本体と、前記開口部を閉じる蓋体と、前記蓋体の一部に設けられた窓部と、前記窓部に開閉自在に設けられた扉部と、前記本体及び前記蓋体の外表面を覆う装飾模様を有する装飾シートと、を具備する装飾棺であって、
前記扉部を閉じた状態において、前記蓋体の外表面及び前記蓋体と前記本体との連続面が略平面状で面一であること、を特徴とする装飾棺。
【請求項２】
前記装飾模様が、前記装飾棺において隣り合う少なくとも２つの外表面にわたって連続していること、を特徴とする請求項１に記載の装飾棺。
【請求項３】
前記装飾シートが表具紙であること、を特徴とする請求項１又は２に記載の装飾棺。
【請求項４】
前記装飾シートが水性のりで前記本体及び前記蓋体の外表面に貼付されていること、を特徴とする請求項３に記載の装飾棺。
【請求項５】
前記装飾模様が油性インクで前記装飾シートに施されていること、を特徴とする請求項４に記載の装飾棺。
【発明の詳細な説明】
【技術分野】
【０００１】
本発明は、木材や紙材などによって形成された箱型の構成体に装飾模様が施された装飾棺に関し、より具体的には、装飾模様が綺麗に表されていて使用者や消費者の要望に真に沿う装飾模様が施された装飾棺に関する。
【背景技術】
【０００２】
遺体を収容する棺は、木材からなる部材が組み立てられた状態で提供されるのが一般的である。そして、近年においては、葬儀に荘厳で華やかな雰囲気を演出することを目的として、棺にも装飾を施すことを要望する依頼者（使用者又は消費者）が増えてきた。
【０００３】
そのため、棺を構成する部材表面に装飾模様を直接捺染したり模様を施した布で覆って作成した装飾棺が考案され、葬儀業者が予め在庫しておいて、これを依頼者が適宜選択することでその要望に対応する、ということも行われるようになった。
【０００４】
ところが、最近の依頼者の嗜好はさらに個性化・多様化が顕著となってきており、依頼者の好みに対応できるような多種類の模様を付した装飾棺を葬儀業者が総て在庫することは事実上困難である。遺体は依頼を受けてからすぐに納棺しなければならず、また、通常は短期間の間に火葬などにより処理されることになるため、依頼者から要望を聞いた後に棺製造業者に注文していては間に合わない。
【０００５】
そこで、例えば特許文献１（特開２００５−１０２８００号公報）においては、葬儀業者の在庫負担を増加させることなく低コストで依頼者ごとの多様な装飾上の要望に容易に対応できるような装飾棺を提供することを意図した発明が提案されている。
【０００６】
即ち、上記特許文献１は「遺体を収容する箱型の本体と前記本体に被せる蓋体とからなる棺であって、前記本体または前記蓋体の内面または外面の少なくとも一部に依頼者の所望する装飾模様が前記依頼者により選択されて施されていることを特徴とする装飾棺。」を提案している。
【先行技術文献】
【特許文献】
【０００７】
【特許文献１】特開２００５−１０２８００号公報
【発明の概要】
【発明が解決しようとする課題】
【０００８】
しかしながら、上記特許文献１に記載の装飾棺は、一般の棺と同様に、扉部のヒンジの箇所や本体と蓋体との間に凹凸を有するため、外表面に装飾用のシートを綺麗に貼り付けるが困難であり、装飾模様が必ずしも綺麗に表されてはいなかった。
【０００９】
そこで、本発明の目的は、木材や紙材などによって形成された箱型の構成体に装飾模様が施された装飾棺に関し、より具体的には、装飾模様が綺麗に表されていて使用者や消費者の要望に真に沿う装飾模様が施された装飾棺を提供することにある。
【課題を解決するための手段】
【００１０】
上記の問題を解決すべく、本発明者は、
上側に開口部を有する箱型の本体と、前記開口部を閉じる蓋体と、前記蓋体の一部に設けられた窓部と、前記窓部に開閉自在に設けられた扉部と、前記本体及び前記蓋体の外表面を覆う装飾模様を有する装飾シートと、を具備する装飾棺であって、
前記扉部を閉じた状態において、前記蓋体の外表面及び前記蓋体と前記本体との連続面が略平面状であり、を特徴とする装飾棺
を提供する。
【００１１】
このような構成を有する本発明の装飾棺によれば、前記扉部を閉じた状態において、前記蓋体の外表面及び前記蓋体と前記本体との連続面が略平面状であるため、装飾シートが前記本体及び前記蓋体の凹凸の無い外表面に綺麗に貼り付けられるため、装飾模様が綺麗に表される。
【００１２】
上記本発明の装飾棺においては、前記装飾模様が、前記装飾棺において隣り合う少なくとも２つの外表面にわたって連続していること、が好ましい。
【００１３】
このような構成を有する本発明の装飾棺においては、前記装飾模様が、前記装飾棺において隣り合う少なくとも２つの外表面にわたって連続して覆っているため、装飾模様が更に綺麗に表される。
【００１４】
上記本発明の装飾棺においては、前記装飾シートが表具紙でも合成紙でもよい。表具紙の場合は、前記装飾シートが水性のりで前記本体及び前記蓋体の外表面に貼付されているのが好ましい。また、装飾模様は油性インクで施されているのが好ましい。
【００１５】
他方、合成紙の場合は、前記装飾シートが油性のりで前記本体及び前記蓋体の外表面に貼付されているのが好ましい。また、装飾模様は水性インクで施されているのが好ましい。
【発明の効果】
【００１６】
以上のような本発明によれば、木材や紙材などによって形成された箱型の構成体に装飾模様が施された装飾棺であって、装飾模様が綺麗に表されていて使用者や消費者の要望に真に沿う装飾模様が施された装飾棺を、より確実に、葬儀業者の在庫負担を増加させることなく、低コストで提供することができる。
【図面の簡単な説明】
【００１７】
【図１】本発明の一実施形態に係る装飾棺の構成を示す概略斜視図である。
【図２】本発明の装飾棺の例を示す概略斜視図である。
【図３】本発明の装飾棺の別の例を示す概略斜視図である。
【発明を実施するための形態】
【００１８】
以下、本発明の代表的な実施形態に係る装飾棺について、図面を参照しつつ詳細に説明するが、本発明の装飾棺が図示されるものに限られないことはいうまでもない。また、以下の説明では、同一又は相当部分には同一符号を付し、重複する説明は省略することもある。図面は、本考案を概念的に説明するためのものであるから、理解容易のために、必要に応じて寸法、比又は数を誇張又は簡略化して表している場合もある。
【００１９】
図１に示すように、本実施形態の装飾棺１は、上側に開口部（図示せず）を有する箱型の本体２と、開口部を閉じる蓋体４と、蓋体４の一部に設けられた窓部６と、窓部６に開閉自在に設けられた扉部６ａ、６ｂと、本体２及び蓋体４の外表面を覆う装飾模様を有する装飾シート（図示せず。）と、を具備している。
【００２０】
扉部６ａ、６ｂは、ヒンジ８によって窓部６に開閉自在に取り付けられており、図１においては蓋体４の窓部６を閉じた状態となっているが、このヒンジ８によって上方側に開くことができる（観音開き）。
【００２１】
そして、この装飾棺１は、扉部６ａ、６ｂを閉じた状態において、蓋体４の外表面（例えば図１において「Ａ」で示される領域を含む外表面）及び蓋体４と本体２との連続面（例えば図１において「Ｂ」で示される領域を含む連続面）が、略平面状で面一になっていることを特徴としている。
【００２２】
図１においては、本体２及び蓋体４の外表面を覆う装飾模様を有する装飾シートを図示していないが、本発明を実施した場合には、例えば図２及び図３に示すように、依頼者や消費者が要望する装飾模様を施した装飾シートで本体２及び蓋体４の全外表面が覆われることになる。
【００２３】
本実施形態の装飾棺１においては、上記のように、蓋体４の外表面及び蓋体４と本体２との連続面が略平面状で面一になっているため、装飾シートが本体２及び蓋体４の凹凸の無い外表面に綺麗に貼り付けられ、図２及び図３に示すように装飾模様が綺麗に表される。
【００２４】
また、本実施形態の装飾棺１においては、図２及び図３に示すように、装飾シートに施された装飾模様が、前記装飾棺において隣り合う少なくとも２つの外表面にわたって連続しており、装飾模様が更に綺麗に表されている。
【００２５】
ここで、本体２、蓋体４及び扉部６ａ、６ｂの材質は、特に制限されるものではなく、例えば木材や紙材を用いることができる。木材は合成木材や合板等であってもよい。
【００２６】
また、上記のような装飾シートの基材としては、依頼者や消費者が要望する装飾模様を本実施形態の装飾棺１に施すことができるものであれば、種々のものを使用することができ、例えば、表具紙、合成紙（ユポ）、樹脂シート等を用いることができる。
【００２７】
このような装飾シートは、本体２及び蓋体４の外表面を覆った場合に、シワ等によって装飾模様の美観を損なわないものであれば、種々の方法・手段で貼り付けることができる。例えば、水性のりや油性のりを用いることができる。装飾シートの裏面に接着層を設けてシール状としてもよい。また、装飾シートの表面に装飾模様を表わすためには、種々のインクを用いることができ、水性インクであっても、油性インクであっても用いることができる。
【００２８】
なかでも、火葬時の環境保全に対する配慮や装飾模様の発色を鮮明にして外観をより際立たせるという観点からは、表具紙、水性のり及び油性インクの組合せが好ましく、また、生産効率、製造コストの適合性という観点からは、合成紙、油性のり及び水性インク（又は油性インク）の組合せが好ましい。
【００２９】
以上のような本実施形態によれば、木材や紙材などによって形成された箱型の構成体に装飾模様が施された装飾棺であって、装飾模様が綺麗に表されていて使用者や消費者の要望に真に沿う装飾模様が施された装飾棺１を、より確実に、葬儀業者の在庫負担を増加させることなく、低コストで提供することができる。
【００３０】
即ち、本実施形態の装飾棺１は、依頼者や消費者が所望する装飾模様を、本体２及び蓋体４の外表面に綺麗に貼り付けることによって簡易かつ容易に施すことができ、この作業は短時間で行うことができるため、依頼者や消費者の要望に細かく対応することができる。
【００３１】
装飾シートの装飾模様としては、種々の文字、図形及び文様等の組合せを用いることができる。写真、画像、絵画、イラストであってもよい。例えば個人の好きなモノやコトであってもよく、また、「お父さんありがとう」等の所望する語句や、故人の氏名を含んだものとすれば、依頼者や消費者、故人の好きな言葉等を容易に棺に表示できるようになり、依頼者や消費者、更には葬儀の参列者の感動をより一層深いものとすることができる。
【００３２】
例えば、図２に示す装飾棺は、故人の好きな色が紫で、故人の好きな花が菊の花であった場合に提案され得るものであり、また、図３に示す装飾棺は、故人が大のゴルフ好きであった場合に提案され得るものである。
【００３３】
このような装飾模様は、種々の方法で装飾シートを構成する基材に施すことができ、例えば手書きであってもよく、コンピュータ及びプリンタを用いて施してもよい。特に昨今においては、コンピュータに取り込んだ写真や画像、絵画、イラスト等を加工することができ、かかる加工によって編集した装飾模様を、プリンタで基材に印字してもよい。画像は、プリントされた写真に限らず、ネガでもよく、また、デジタルカメラやビデオカメラの映像データでもよい。
【００３４】
以上、本発明の代表的な実施形態に係る装飾棺について説明したが、本発明の技術的思想の範囲内で、種々の設計変更が可能であり、それらは当然に本発明の技術的範囲に含まれる。
【００３５】
例えば、上記実施形態においては人間用の装飾棺について説明したが、ペット用の棺として、例えば人間用の棺と異なるサイズ・形状を備えたものとすれば、飼い主の装飾上の要望に対応してその満足を得ることができる。ペットの生前の写真や名前等、飼い主の要望による特有の装飾模様を棺に付加することで葬儀に華やかさを与えるとともに個性的な演出が可能となって、依頼者や消費者の大きな満足に繋がる。
【符号の説明】
【００３６】
１・・・装飾棺、
２・・・本体、
４・・・蓋体、
６・・・窓部、
６ａ、６ｂ・・・扉部、
８・・・ヒンジ。
【図１】
2015019802.tif 000003
【図２】
2015019802.tif 000004
【図３】
2015019802.tif 000005